(57)【特許請求の範囲】
【請求項１】
周りがシールされ、内部が高真空である真空ボックスと、
前記真空ボックスのボックス壁において、二次元配列で１つの平面に配置された複数の電子放出ユニットと、
前記真空ボックス内に、前記複数の電子放出ユニットが位置する平面と平行するように配置された陽極と、
を備え、
前記陽極は、金属材料から作られ、前記電子放出ユニットの上表面と平行する陽極板と、前記陽極板に取り付けられ、それぞれが前記電子放出ユニットの位置に対応するように配置された複数のターゲットと、を含み、
前記ターゲットの底面が前記陽極板と接続し、かつ前記ターゲットの頂面と前記陽極板とは所定の角度を形成することを特徴とするＸ線装置。
【請求項２】
前記Ｘ線装置は、前記陽極と接続する高圧電源と、前記複数の電子放出ユニットのそれぞれと接続するフィラメント電源と、前記複数の電子放出ユニットのそれぞれと接続するグリッド制御装置と、各電源を制御するための制御システムと、を有する電源及び制御システムをさらに有することを特徴とする請求項１に記載のＸ線装置。
【請求項３】
前記ターゲットは円錐台構造、四角錐台構造、多角錐台構造又は他の多角形の突起、或いは他の不規則な突起であることを特徴とする請求項１又は２に記載のＸ線装置。
【請求項４】
前記ターゲットは円柱構造、四角柱構造、あるいは他の多角柱構造であることを特徴とする請求項１又は２に記載のＸ線装置。
【請求項５】
前記ターゲットは球面構造であることを特徴とする請求項１又は２に記載のＸ線装置。
【請求項６】
前記ターゲットの頂面は平面、斜面、球面或いは他の不規則な表面であることを特徴とする請求項１又は２に記載のＸ線装置。
【請求項７】
前記電子放出ユニットが、フィラメントと、前記フィラメントと接続した陰極と、開口を有し、前記フィラメントと前記陰極を囲んだ絶縁支持部材と、前記フィラメントの両端から引き出されたフィラメントリード線と、前記陰極に対向するように前記陰極の上方に配置されたグリッドと、前記絶縁支持部材と接続して、前記電子放出ユニットを前記真空ボックスの壁に取り付けて、真空なシール接続を形成する接続固定部材とを有し、
前記グリッドが、金属から作られ、中央に開孔が形成されたグリッドフレームと、金属から作られ、前記グリッドフレームの前記開孔の位置に固定されたグリッドメッシュと、前記グリッドフレームから引き出されたグリッドリード線とを有し、
前記フィラメントリード線と前記グリッドリード線は前記絶縁支持部材を貫通して、電子放出ユニットの外部に引き出され、前記フィラメントリード線が前記フィラメント電源と接続して、前記グリッドリード線が前記グリッド制御装置と接続していることを特徴とする請求項２に記載のＸ線装置。
【請求項８】
前記接続固定部材が前記絶縁支持部材の下端の外縁に接続し、前記電子放出ユニットの陰極端が前記真空ボックスの内部に位置し、前記電子放出ユニットのリード線端が前記真空ボックスの外部に位置することを特徴とする請求項７に記載のＸ線装置。
【請求項９】
前記接続固定部材が前記絶縁支持部材の上端に接続し、前記電子放出ユニット全体が前記真空ボックスの外部に位置することを特徴とする請求項７に記載のＸ線装置。
【請求項１０】
前記電子放出ユニットが、絶縁骨組み板、グリッド板、グリッドメッシュ、グリッドリード線から構成された平板グリッドと、それぞれがフィラメント、前記フィラメントと接続した陰極、前記フィラメントの両端から引き出されたフィラメントリード線、前記フィラメントと前記陰極を囲んだ絶縁支持部材から構成された複数の陰極構造が緊密に配列されるように構成された陰極アレイと、を含み、
前記グリッド板が前記絶縁骨組み板に設けられ、かつ前記グリッドメッシュが前記グリッド板に形成された開孔の位置に設けられ、前記グリッドリード線が前記グリッド板から引き出され、
前記平板グリッドが前記陰極アレイの上方に位置し、垂直方向において、前記グリッドメッシュの中心が前記陰極の中心と二つがひと組になって重なり合い、
前記平板グリッドと前記陰極アレイとが前記真空ボックス内に位置し、前記フィラメントリード線と前記グリッドリード線が、それぞれ前記真空ボックスのボックス壁に設けられたフィラメントリード線移行端子とグリッドリード線移行端子を介して、前記真空ボックスの外部に引き出されることを特徴とする請求項１に記載のＸ線装置。
【請求項１１】
前記陽極と前記高圧電源のケーブルを接続して、前記真空ボックスの前記陽極に近い一端の側壁に取り付けられた高圧電源接続装置と、フィラメントと前記フィラメント電源を接続するためのフィラメント電源接続装置と、前記電子放出ユニットのグリッドと前記グリッド制御装置を接続するためのグリッド制御装置接続装置と、前記電源及び制御システム内に含まれた真空電源と、前記真空ボックスの側壁に取り付けられて、前記真空電源で作動して、前記真空ボックスにおける高真空を維持する真空装置と、をさらに有することを特徴とする請求項２から請求項１０の何れか一項に記載のＸ線装置。
【請求項１２】
前記複数の電子放出ユニットが配列されたアレイは、二つの方向においていずれも直線であり、或いは一方の方向には直線であり、他方の方向には区分的直線であることを特徴とする請求項１から請求項１０の何れか一項に記載のＸ線装置。
【請求項１３】
前記複数の電子放出ユニットが配列されたアレイは、一方の方向において直線であり、他方の方向において弧線又は区分的弧線であることを特徴とする請求項１から請求項１０の何れか一項に記載のＸ線装置。
【請求項１４】
前記グリッド制御装置が制御器、負高圧モジュール、正高圧モジュール及び複数の高圧スイッチ素子を含み、
前記複数の高圧スイッチ素子のそれぞれが少なくとも一つの制御端、二つの入力端、一つの出力端を含み、各端点の間の耐電圧が少なくとも前記負高圧モジュールと前記正高圧モジュールから構成された最大電圧より大きく、
前記負高圧モジュールが前記複数の高圧スイッチ素子のそれぞれの一方の入力端に安定な負高圧を提供し、
前記正高圧モジュールが前記複数の高圧スイッチ素子のそれぞれの他方の入力端に安定な正高圧を提供し、
前記制御器が前記複数の高圧スイッチ素子を独立して制御し、
前記グリッド制御装置が複数の制御信号出力チャンネルをさらに有し、
一つの前記高圧スイッチ素子の出力端が前記制御信号出力チャンネルの一つに接続していることを特徴とする請求項２から請求項１０の何れか一項に記載のＸ線装置。
【請求項１５】
用いられるＸ線源が請求項１から請求項１４の何れか一項に記載のＸ線装置であることを特徴とするＣＴデバイス。
【発明の詳細な説明】
【技術分野】
【０００１】
本発明は分散型Ｘ線を発生する装置に関し、特にＸ線光源デバイスにおいて、二次元で複数の独立の電子放出ユニットを配置して、陽極に複数の対応するターゲットを配置して、且つ陰極制御又はグリッド制御によって、所定の順番に従って焦点位置を変えるＸ線を発生する二次元アレイ分散型Ｘ線装置及び該Ｘ線装置を有するＣＴデバイスに関する。
【背景技術】
【０００２】
一般的に、Ｘ線光源とは、Ｘ線を発生するデバイスであり、通常、Ｘ線管、電源及び制御システム、冷却及びシールドなどの補助装置などから構成され、その核心がＸ線管である。Ｘ線管は、通常、陰極、陽極、ガラス又はセラミックスパッケージから構成される。陰極は直熱型螺旋タングステンフィラメントであり、作動時に、電流によって、高温状態まで加熱し、熱放射の電子ビーム流を発生し、陰極は先端にノッチングされる金属カバーに取り囲まれ、金属カバーが電子を集束させる。陽極は銅ブロック端面に嵌め込まれるタングステンターゲットであり、作動時に、陽極と陰極との間に高電圧が印加され、陰極が発生する電子は電場の作用で加速運動して陽極へ飛び、かつターゲット表面に衝撃して、Ｘ線を発生する。
【０００３】
Ｘ線は工業非破壊検査、安全検査、医療診断及び治療などの分野に広く応用されている。特に、Ｘ線の高透過性を利用して製造されるＸ線透視イメージングデバイスは、人々の日常生活の各方面において重要な役割を発揮している。このようなデバイスは、初期にはフィルム式の平面透視イメージングデバイスであるが、現在の先進技術はデジタル化、マルチビュー、かつ高解像度の立体イメージングデバイスである。例えば、ＣＴ（ｃｏｍｐｕｔｅｄ  ｔｏｍｏｇｒａｐｈｙ）は、高精細度の３次元立体図形又はスライス画像を得ることができ、先進のハイエンドアプリケーションである。
【０００４】
従来のＣＴデバイスにおいて、Ｘ線源及び検知器はスリップリングに運動する必要があり、検査速度を向上させるために、通常、Ｘ線源及び検知器の運動速度が非常に高いので、デバイス全体の信頼性及び安定性が低下し、また、運動速度に制限されるため、ＣＴの検査速度も制限される。そのため、ＣＴデバイスにおいて位置を移動せずに複数のビューを発生することができるＸ線源が必要である。
【０００５】
従来のＣＴデバイスにおけるスリップリングによる信頼性、安定性の問題、検査速度の問題及び陽極ターゲットスポットの耐熱問題を解決するために、従来の特許文献にはいくつかの方法が提供されている。例えば、回転ターゲットＸ線源は、ある程度で陽極ターゲットの過熱の問題を解決することができるが、その構造が複雑であり、かつＸ線を発生するターゲットスポットはＸ線源全体に対して依然として確定されるターゲットスポット位置である。例えば、固定されるＸ線源の複数のビューを実現するために、Ｘ線源の運動の代りに、１つの円周において緊密に複数の独立する従来のＸ線源を配列する技術があり、このようにマルチビューを実現することができるが、コストが高く、かつ異なるビューのターゲットスポット間隔が大きく、イメージング品質（立体解像度）が悪い。また、特許文献１（ＵＳ４９２６４５２）には分散型Ｘ線を発生する光源及び方法が提供されており、陽極ターゲットは大きな面積を有し、ターゲット過熱の問題を緩和させると同時に、ターゲットスポット位置が円周に沿って変化し、複数のビューを発生することができる。特許文献１は加速される高エネルギー電子ビームに対して走査して偏向し、制御し難く、ターゲットスポット位置が離間しなく、並びに再現性が悪い問題があるが、依然として分散型光源を発生することができる効果的な方法である。また、例えば、特許文献２（ＵＳ２０１１００７５８０２）及び特許文献３（ＷＯ２０１１／１１９６２９）には分散型Ｘ線を発生する光源及び方法が提供されており、陽極ターゲットは大きな面積を有し、ターゲット過熱の問題を緩和させると同時に、ターゲットスポット位置が分散して固定され、かつアレイ式に配列され、複数のビューを発生することができる。また、カーボンナノチューブを冷陰極として採用し、かつ冷陰極をアレイ配列し、陰極グリッドの間の電圧を利用して電界放出を制御することで、各陰極が順番に従って電子を放出することを制御し、陽極には相応する順番位置に応じてターゲットスポットに衝撃し、分散型Ｘ線源になっている。しかし、生産プロセスが複雑であり、カーボンナノチューブの放射能力と寿命が高くないという欠陥がある。
【発明の概要】
【０００６】
本発明は上記の課題を解決するために提出されるものであり、光源を移動する必要がなく、複数のビューを生成することができ、かつ構造を簡易化し、システムの安定性、信頼性を向上させ、検査効率を向上させることに有利である二次元アレイ分散型Ｘ線装置及び該装置を有するＣＴデバイスを提供することを目的とする。
【０００７】
本発明は、二次元アレイ分散型Ｘ線装置を提供し、周りがシールされ、内部が高真空である真空ボックスと、前記真空ボックスのボックス壁において、二次元配列で一つの平面に配置されている複数の電子放出ユニットと、前記真空ボックス内に、前記複数の電子放出ユニットが位置する平面と平行するように配置された陽極と、前記陽極と接続する高圧電源、前記複数の電子放出ユニットのそれぞれと接続するフィラメント電源、前記複数の電子放出ユニットのそれぞれと接続するグリッド制御装置、各電源を制御するための制御システムを有する電源及び制御システムと、を備え、前記陽極は、金属材料から作られ、前記電子放出ユニットの上表面と平行する陽極板と、前記陽極板に取り付けられ、それぞれが前記電子放出ユニットの位置に対応するように配置された複数のターゲットと、を含み、前記ターゲットの底面が前記陽極板と接続し、かつ頂面と前記陽極板とは所定の角度を形成することを特徴とする。
【０００８】
本発明の二次元アレイ分散型Ｘ線装置では、前記ターゲットが円錐台構造、四角錐台構造、多角錐台構造又は他の多角形の突起、或いは他の不規則な突起である。
【０００９】
本発明の二次元アレイ分散型Ｘ線装置では、前記ターゲットが円柱構造、四角柱構造、或いは他の多角柱構造である。
【００１０】
本発明の二次元アレイ分散型Ｘ線装置では、前記ターゲットが球面構造である。
【００１１】
本発明の二次元アレイ分散型Ｘ線装置では、前記ターゲットの頂面が平面、斜面、球面或いは他の不規則な表面である。
【００１２】
本発明の二次元アレイ分散型Ｘ線装置では、前記電子放出ユニットが、フィラメントと、前記フィラメントと接続している陰極と、開口を有し、前記フィラメントと前記陰極を囲んだ絶縁支持部材と、前記フィラメントの両端から引き出されたフィラメントリード線と、前記陰極に対向するように前記陰極の上方に配置されたグリッドと、前記絶縁支持部材と接続して、前記電子放出ユニットを前記真空ボックスの壁に取り付けて、真空なシール接続を形成する接続固定部材と、を有し、前記グリッドが、金属から作られ、中央に開孔が形成されたグリッドフレームと、金属から作られ、前記グリッドフレームの前記開孔の位置に固定されたグリッドメッシュと、前記グリッドフレームから引き出されたグリッドリード線とを有し、前記フィラメントリード線と前記グリッドリード線は前記絶縁支持部材を貫通して、電子放出ユニットの外部に引き出され、前記フィラメントリード線は前記フィラメント電源と接続し、前記グリッドリード線は前記グリッド制御装置と接続している。
【００１３】
本発明の二次元アレイ分散型Ｘ線装置では、前記接続固定部材が前記絶縁支持部材の下端の外縁に接続し、前記電子放出ユニットの陰極端が前記真空ボックスの内部に位置し、前記電子放出ユニットのリード線端が前記真空ボックスの外部に位置する。
【００１４】
本発明の二次元アレイ分散型Ｘ線装置では、前記接続固定部材が前記絶縁支持部材の上端に接続し、前記電子放出ユニット全体が前記真空ボックスの外部に位置する。
【００１５】
本発明の二次元アレイ分散型Ｘ線装置では、前記電子放出ユニットが、絶縁骨組み板、グリッド板、グリッドメッシュ、グリッドリード線から構成された平板グリッドと、それぞれがフィラメント、前記フィラメントと接続した陰極、前記フィラメントの両端から引き出されたフィラメントリード線、前記フィラメントと前記陰極を囲んだ絶縁支持部材から構成された複数の陰極構造が、緊密に配列されるように構成された陰極アレイと、を含み、前記グリッド板が前記絶縁骨組み板に設けられ、かつ前記グリッドメッシュが前記グリッド板に形成された開孔の位置に設けられ、前記グリッドリード線が前記グリッド板から引き出され、前記平板グリッドが前記陰極アレイの上方に位置し、垂直方向において、前記各グリッドメッシュの円中心がそれぞれ前記陰極アレイの各陰極の円中心と二つがひと組になって重なり合い、前記平板グリッドと前記陰極アレイが前記真空ボックス内に位置し、前記フィラメントリード線と前記グリッドリード線が、それぞれ前記真空ボックスのボックス壁に設けられたフィラメントリード線移行端子とグリッドリード線移行端子を介して、前記真空ボックスの外部に引き出される。
【００１６】
本発明の二次元アレイ分散型Ｘ線装置では、前記真空ボックスがガラス又はセラミックスから作られる。
【００１７】
本発明の二次元アレイ分散型Ｘ線装置では、前記真空ボックスが金属材料から作られる。
【００１８】
本発明の二次元アレイ分散型Ｘ線装置では、前記陽極と前記高圧電源のケーブルを接続して、前記真空ボックスの前記陽極に近い一端の側壁に取り付けられた高圧電源接続装置と、前記フィラメントと前記フィラメント電源を接続するためのフィラメント電源接続装置と、前記電子放出ユニットの前記グリッドと前記グリッド制御装置を接続するためのグリッド制御装置接続装置と、前記電源及び制御システム内に含まれた真空電源と、前記真空ボックスの側壁に取り付けられて、前記真空電源で作動して、前記真空ボックスにおける高真空を維持する真空装置と、をさらに有する。
【００１９】
本発明の二次元アレイ分散型Ｘ線装置では、前記複数の電子放出ユニットの二次元アレイ配列が二つの方向に何れも直線に延在する。
【００２０】
本発明の二次元アレイ分散型Ｘ線装置では、前記複数の電子放出ユニットの二次元アレイ配列が一方の方向に直線に延在し、他方の方向に弧線に延在する。
【００２１】
本発明の二次元アレイ分散型Ｘ線装置では、前記グリッド制御装置が制御器、負高圧モジュール、正高圧モジュール及び複数の高圧スイッチ素子を含み、前記複数の高圧スイッチ素子のそれぞれが少なくとも一つの制御端、二つの入力端、一つの出力端を含み、各端点の間の耐電圧が少なくとも前記負高圧モジュールと前記正高圧モジュールから構成された最大電圧より大きく、前記負高圧モジュールが前記複数の高圧スイッチ素子のそれぞれの一方の入力端に安定な負高圧を提供し、前記正高圧モジュールが複数の高圧スイッチ素子のそれぞれの他方の入力端に安定な正高圧を提供し、前記制御器が前記複数の高圧スイッチ素子を独立して制御し、前記グリッド制御装置が複数の制御信号出力チャンネルをさらに有し、一つの前記高圧スイッチ素子の出力端が前記制御信号出力チャンネルの一つに接続している。
【００２２】
本発明は、用いられるＸ線源が上記の二次元アレイ分散型Ｘ線装置であることを特徴とするＣＴデバイスを提供する。
【００２３】
本発明によれば、一つの光源デバイスにおいて、ある順番に従って周期的に焦点位置を変えるＸ線を発生する二次元アレイ分散型Ｘ線装置を提供する。本発明の電子放出ユニットは熱陰極を利用するので、放射電流が大きくて、寿命が長いという利点を有する。グリッド制御又は陰極制御によって各電子放出ユニットの作動状態を制御して、便利で柔軟である。大きい陽極板とターゲットの設計を利用して、陽極の過熱問題を緩和して、ターゲットスポット集束効果を形成して、コストが低減された。電子放出ユニットと対応するターゲットが二次元アレイ配列を使うので、Ｘ線がアレイの平面に平行して引き出され、線の出射方向から見ると、ターゲットスポットの分布間隔を縮小して、ターゲットスポットの密度を向上させた。電子放出ユニットは平面二次元で配列されてもよいし、弧面二次元で配列されてもよく、全体に直線形分散型Ｘ線装置又は環型分散型Ｘ線装置になり、応用が柔軟である。
【００２４】
本発明の分散型Ｘ線光源をＣＴデバイスに応用すると、光源を移動する必要がなく、複数のビューを生成することができるため、スリップリングの運動を省略することができ、構造を簡易化させ、システムの安定性、信頼性を向上させ、検査効率を向上させることに有利である。
【図面の簡単な説明】
【００２５】
【図１】本発明の二次元分散型Ｘ線装置内部の主な構造の概略図である。
【図２】本発明における二次元分散型Ｘ線装置の陽極構造の下面図である。
【図３】本発明における電子放出ユニットの構造の概略図である。
【図４】本発明における他の電子放出ユニットの構造の概略図である。
【図５】本発明における二次元分散型Ｘ線装置の構造図である。
【図６】本発明におけるグリッド制御装置の構造概略図である。
【図７】本発明におけるグリッドと陰極とが分離した電子放出ユニットアレイの概略図であって、（Ａ）が側面図で、（Ｂ）が各グリッドを独立して制御するモードの平面図で、（Ｃ）が各グリッドが互いに接続され、かつ陰極制御するモードの平面図である。
【図８】本発明におけるフィラメントが直列接続した分散型Ｘ線装置である。
【図９】本発明における円弧型二次元分散型Ｘ線装置内部の電子放出ユニットと陽極の配置概略図である。
【発明を実施するための形態】
【００２６】
以下、図面を参照しながら本発明を詳しく説明する。
【００２７】
図１〜図６に示すように、本発明の二次元アレイ分散型Ｘ線装置は複数の電子放出ユニット１（少なくとも四つであり、以降、具体的に電子放出ユニット１１ａ、１２ａ、１３ａ、１４ａ、……、電子放出ユニット１１ｂ、１２ｂ、１３ｂ、１４ｂ、……とも称する）、陽極２、真空ボックス３、高圧電源接続装置４、フィラメント電源接続装置５、グリッド制御装置接続装置６、真空装置８、及び、電源及び制御システム７から構成されて、その中に、電子放出ユニット１がフィラメント１０１、陰極１０２、グリッド１０３などから構成されて、陽極２が陽極板２０１、及び陽極板２０１に取り付けられ、電子放出ユニット１に対応して配列された複数のターゲット２０２から構成される。複数の電子放出ユニット１は二次元の配列方式で１つの平面に配置され、陽極板２０１が位置する平面と互いに平行している。電子放出ユニット１、高圧電源接続装置４、真空装置８が真空ボックス３のボックス壁に取り付けられ、真空ボックス３と共に全体シール構造を構成して、陽極２が真空ボックス内に取り付けられる。
【００２８】
図１に二次元アレイ分散型X線装置内部の電子放出ユニット１と陽極２の空間配置の構造概略図を示した。電子放出ユニット１は二列に分かれて一つの平面に配置され、且つ、前後列の電子放出ユニット１がずれて配列された（図１を参照）が、ここに限定されず、前後列の電子放出ユニットが互いにずれなくてもよい。陽極２は電子放出ユニット１の上方に配置されて、陽極２のターゲット２０２が電子放出ユニット１に一つずつ対応し、ターゲット２０２の頂面が電子放出ユニット１を指し、電子放出ユニット１の中心とターゲット２０２の中心の接続線が陽極板２０１の平面に垂直して、この接続線が電子放出ユニット１から放射される電子ビーム流Ｅの運動経路でもある。電子がターゲットに衝撃してＸ線を発生して、有用なＸ線の出射方向が陽極板２０１の平面と平行して、各有用なＸ線が互いに平行する。
【００２９】
図２には陽極２の構造を示した。陽極２は、陽極板２０１と、二次元アレイで分布された複数のターゲット２０２とを含む。陽極板２０１は平板であり、金属材料から作られ、且つ耐高温金属材料であることが好ましく、電子放出ユニット１の上表面、即ちグリッド１０３の表面から構成された平面と完全に平行しており、陽極２に正高圧が印加された場合に、通常、数十ｋＶ〜数百ｋＶであり、典型的に、例えば１８０ｋＶであり、それによって、陽極板２０１と電子放出ユニット１の間に平行する高圧電場を形成する。ターゲット２０２は陽極板２０１に取り付けられて、その位置がそれぞれ電子放出ユニット１の位置に対応するように配置されて、ターゲット２０２の表面が通常、耐高温の重金属材料、例えばタングステン又はタングステン合金を用いる。ターゲット２０２は円錐台構造であり、高さが通常、数ｍｍであり、例えば３ｍｍであり、直径が大きい底面が陽極板２０１に接続し、頂面の直径が小さく、通常、数ｍｍであり、例えば２ｍｍであり、頂面が陽極板２０１と平行しなく、通常、数度〜十数度の小さい夾角を有し、それによって、電子がターゲットに衝撃することにより発生した有用なＸ線が放射されやすくなる。すべてのターゲット２０２は頂面の傾斜方向が一致するように配置されて、即ち、全ての有用なＸ線の出射方向が一致している。ターゲットのこのような構造設計は陽極板２０１に成長する小さい突起に相当して、陽極板２０１の表面の局部電場の分布を変えて、電子ビームがターゲットに衝撃する前に、自動集束の効果を有し、ターゲットスポットを小さくして、画像の品質を高めることに有利である。陽極の設計においては、陽極板２０１が普通の金属を用い、ターゲット２０２の表面だけタングステン又はタングステン合金であるので、コストが低減された。
【００３０】
図３には電子放出ユニット１の具体的な構造を示した。電子放出ユニット１がフィラメント１０１、陰極１０２、グリッド１０３、絶縁支持部材１０４、フィラメントリード線１０５、接続固定部材１０９を含み、グリッド１０３がグリッドフレーム１０６、グリッドメッシュ１０７とグリッドリード線１０８から構成される。図３には、フィラメント１０１、陰極１０２、グリッド１０３などの位置が電子放出ユニット１の陰極端に定義されて、接続固定部材１０９の位置が電子放出ユニット１のリード線端に定義される。陰極１０２はフィラメント１０１と接続して、フィラメント１０１は通常、タングステンフィラメントを用い、陰極１０２は通常、電子の熱放射能力が強い材料、例えば酸化バリウム、スカンデート、六ホウ化ランタンなどを使用する。絶縁支持部材１０４はフィラメント１０１と陰極１０２を囲み、電子放出ユニット１のケースに相当し、絶縁材を採用し、通常はセラミックスである。フィラメントリード線１０５とグリッドリード線１０８は絶縁支持部材１０４を貫通して、電子放出ユニット１のリード線端から引き出されて、フィラメントリード線１０５およびグリッドリード線１０８と絶縁支持部材１０４との間は真空シールの構造である。グリッド１０３は絶縁支持部材１０４の上端に取り付けられ（即ち、絶縁支持部材１０４の開口に配置され）、陰極１０２に対向して、グリッド１０３と陰極１０２の中心が上下に合わせられ、グリッド１０３がグリッドフレーム１０６、グリッドメッシュ１０７、グリッドリード線１０８を含み、グリッドフレーム１０６、グリッドメッシュ１０７、グリッドリード線１０８が何れも金属で作られ、通常、グリッドフレーム１０６がステンレス鋼材料であり、グリッドメッシュ１０７がモリブデン材料であり、グリッドリード線１０８がステンレス材料又はコバール材料である。
【００３１】
また、具体的に、グリッド１０３の構造に関しては、その本体が金属板（例えば、ステンレス鋼材料）、即ちグリッドフレーム１０６であり、グリッドフレーム１０６の中央に開孔が形成され、この開孔の形状が四角形又は円形などであってもよく、この開孔の位置には、金網（例えば、モリブデン材料）、即ちグリッドメッシュ１０７が固定されており、金属板のある位置から一本のリード線（例えば、ステンレス鋼材料）、即ちグリッドリード線１０８が引き出されて、グリッド１０３をある電位に接続することができる。また、グリッド１０３が陰極１０２の真上に位置して、グリッドの上記の開孔の中心と陰極１０２の中心とが合わせられて（即ち、上下は１本の鉛直線にある）、開孔の形状が陰極１０２の形状に対応するが、開孔の大きさが陰極１０２の面積より小さい。しかし、電子ビーム流がグリッド１０３を通ることができれば、グリッド１０３の構造は上記の構造に限らない。また、グリッド１０３と陰極１０２との間は、絶縁支持部材１０４を介して相対位置固定を行う。
【００３２】
また、具体的に、接続固定部材１０９の構造について、好ましくは、その本体が円形ナイフエッジフランジであり、中央に開孔が形成され、この開孔の形状が四角形又は円形などであってもよく、開孔の位置と絶縁支持部材１０４の下端の外縁がシール接続され、例えば溶接で接続され、ナイフエッジフランジの外縁にねじ穴が形成されて、ボルト接続で電子放出ユニット１を真空ボックス３のボックス壁に固定することができ、そのナイフエッジと真空ボックス３のボックス壁との間は真空シール接続を形成する。それは取り外しやすい柔軟な構造であり、複数の電子放出ユニット１のうちの１つが故障を発生する時に、柔軟に交換することができる。ただし、接続固定部材１０９の機能は絶縁支持部材１０４と真空ボックス３との間のシール接続を実現することであり、複数種の柔軟な方式を有し、例えば、金属フランジ移行による溶接、又はガラス高温溶融シール接続、又はセラミックス金属化後に金属と溶接するなどの方式を有する。
【００３３】
図４には他の電子放出ユニット１の具体的な構造を示した。電子放出ユニット１はフィラメント１０１、陰極１０２、グリッド１０３、絶縁支持部材１０４、フィラメントリード線１０５、グリッドリード線１０８及び接続固定部材１０９を含む。陰極１０２がフィラメント１０１に接続し、グリッド１０３が陰極１０２の直上に位置し、外形が陰極１０２と同じであり、陰極１０２の上表面に近く、絶縁支持部材１０４がフィラメント１０１と陰極１０２を囲み、フィラメント１０１の両端から引き出されたフィラメントリード線１０５とグリッド１０３から引き出されたグリッドリード線１０８が絶縁支持部材１０４を貫通して、電子放出ユニット１の外部に引き出され、フィラメントリード線１０５およびグリッドリード線１０８と絶縁支持部材１０４との間は真空シール構造である。
【００３４】
図５には二次元アレイ分散型Ｘ線装置の全体構造を示した。真空ボックス３は周りがシールされたキャビティケースであり、内部が高真空である。電子放出ユニット１は要求に応じて電子ビーム流を発生することに用いられ、真空ボックス３のボックス壁に取り付けられる。陽極２は平行高圧加速電場の形成とＸ線の発生に用いられ、真空ボックス３の内部に取り付けられる。高圧電源接続装置４は陽極２と高圧電源７０２のケーブルとを接続することに用いられ、真空ボックス３の陽極２に近い一端の側壁に取り付けられる。フィラメント電源接続装置５はフィラメントリード線１０５とフィラメント電源７０４とを接続することに用いられ、フィラメント電源接続装置５は通常、数本の両端にコネクタ付きのマルチコアケーブルである。グリッド制御装置接続装置６は電子放出ユニット１のグリッドリード線１０８とグリッド制御装置７０３とを接続することに用いられ、グリッド制御装置接続装置６は通常、数本の両端にコネクタ付きの同軸ケーブルである。また、本発明の二次元アレイ分散型Ｘ線装置は真空装置８をさらに含むことができ、真空装置８は真空電源７０５の作用で作動して、真空ボックス３内の高真空を維持することに用いられ、真空ボックス３の側壁に取り付けられる。
【００３５】
また、電源及び制御システム７は制御システム７０１、高圧電源７０２、グリッド制御装置７０３、フィラメント電源７０４、真空電源７０５などを含む。高圧電源７０２は真空ボックス３のボックス壁における高圧電源接続装置４を介して陽極２と接続している。グリッド制御装置７０３はグリッド制御装置接続装置６を介して、各グリッドリード線１０８にそれぞれ接続し、通常、電子放出ユニット１と同じ数の独立したグリッドリード線１０８を有し、グリッド制御装置７０３の出力経路数がグリッドリード線１０８の数量と同じである。フィラメント電源７０４はフィラメント電源接続装置５を介して、各フィラメントリード線１０５にそれぞれ接続し、通常、電子放出ユニット１の数量と同じ組数の独立したフィラメントリード線１０５を有し（即ち、上記のように、電子放出ユニットのそれぞれが一組で２本のフィラメントリード線を有し、それぞれフィラメントの両端に接続する）、フィラメント電源７０４はフィラメントリード線１０５と同じ数の出力回路を有する。真空電源７０５は真空装置８と接続している。制御システム７０１は高圧電源７０２、グリッド制御装置７０３、フィラメント電源７０４、真空電源７０５などの作動状態を制御して、総合管理する。
【００３６】
また、図６に示すように、グリッド制御装置７０３は制御器７０３０１、負高圧モジュール７０３０２、正高圧モジュール７０３０３、複数の高圧スイッチ素子ｓｗｉｔｃｈ１、ｓｗｉｔｃｈ２、ｓｗｉｔｃｈ３、ｓｗｉｔｃｈ４、…を含む。複数の高圧スイッチ素子のそれぞれは少なくとも一つの制御端（Ｃ）、二つの入力端（Ｉｎ１とＩｎ２）、一つの出力端（Ｏｕｔ）を含み、各端点の間の耐電圧が少なくとも負高圧モジュール７０３０２と正高圧モジュール７０３０３から構成された最大の電圧より大きい（即ち、負高圧出力が−５００Ｖであって、正高圧出力が＋２０００Ｖであると、各端点の間の耐電圧が少なくとも２５００Ｖより大きいである必要がある）。制御器７０３０１は複数の経路の独立する出力を有し、各経路が１つの高圧スイッチ素子の制御端に接続している。負高圧モジュール７０３０２は安定な負高圧を提供して、通常、負の数百ボルトであり、範囲が０Ｖ〜−１０ｋＶであってもよく、−５００Ｖが好ましい。該負高圧が各高圧スイッチ素子の一方の入力端に接続している。また、正高圧モジュール７０３０３は安定な正高圧を提供し、通常、正の数キロボルトであり、範囲が０Ｖ〜＋１０ｋＶであってよく、＋２０００Ｖが好ましい。該正高圧が各高圧スイッチ素子の他方の入力端に接続している。各高圧スイッチ素子の出力端はそれぞれ制御信号出力チャンネルｃｈａｎｎｅｌ１ａ、ｃｈａｎｎｅｌ１ｂ、ｃｈａｎｎｅｌ２ａ、ｃｈａｎｎｅｌ２ｂ、ｃｈａｎｎｅｌ３ａ、ｃｈａｎｎｅｌ３ｂ、…に接続して、複数の経路の制御信号に合流して出力する。制御器７０３０１は、各出力チャンネルの制御信号が負高圧又は正高圧になるように、各高圧スイッチ素子の作動状態を制御する。
【００３７】
また、電源及び制御システム７は異なる使用条件でフィラメント電源７０４の各出力回路の電流の大きさを調節することで、各加熱フィラメント１０１の陰極１０２に対する加熱温度を調節し、各電子放出ユニット１の発射電流の大きさを変更して、最終的に各回のＸ線放射の強度を調節することができる。また、グリッド制御装置７０３の各出力チャンネルの正高圧制御信号の強度を調節することで、各電子放出ユニット１の発射電流の大きさを変更して、最終的に各回のＸ線放射の強度を調節することもできる。また、各電子放出ユニット１の作動シーケンス及び組合せ作動モードに対してプログラミングして、柔軟に制御することもできる。
【００３８】
特に、本発明の二次元分散型Ｘ線装置において、電子放出ユニットはグリッドと陰極とが分離する構造でもよい。図７にはグリッドと陰極とが分離する電子放出ユニットアレイを示した。図７では、平板グリッド９は絶縁骨組み板９０１、グリッド板９０２、グリッドメッシュ９０３、グリッドリード線９０４から構成される。図に示すように、グリッド板９０２が絶縁骨組み板９０１に設けられ、且つ、グリッドメッシュ９０３がグリッド板９０２に形成された開孔の位置に設けられ、グリッドリード線９０４がグリッド板９０２から引き出された。陰極アレイ１０は複数の陰極構造が緊密に配列されて構成され、各陰極構造はフィラメント１００１、陰極１００２、絶縁支持部材１００４から構成される。平板グリッド９が陰極アレイ１０の上方に位置し、この二者の距離がとても小さく、通常は数ｍｍであり、例えば３ｍｍである。グリッド板９０２、グリッドメッシュ９０３、グリッドリード線９０４から構成されたグリッド構造が陰極構造に一つずつ対応し、且つ、垂直方向から見ると、各グリッドメッシュ９０３の円中心と各陰極１００２の円中心とは二つがひと組になって重なり合っている。平板グリッド９と陰極アレイ１０が真空ボックス３内に位置し、フィラメントリード線１００５とグリッドリード線９０４が真空ボックス３のボックス壁に設けられたフィラメントリード線移行端子１００６とグリッドリード線移行端子１００７を介して真空ボックスの外部に引き出された。
【００３９】
また、図７（Ｂ）に示すように、本発明において、グリッド構造は各グリッドリード線が独立して引き出され、かつグリッド制御装置によって独立して状態制御を行う構造であってもよい。陰極アレイ１０の各陰極１００２は同一電位、例えば、接地にあってもよい。各グリッドは負の数百ボルトと正の数キロボルトとの2つの状態の間に切り替わってもよく、例えば、−５００Ｖと＋２０００Ｖとの間に切り替わり、それにより、各電子放出ユニットの作動状態を制御し、例えば、あるグリッドはある時刻に−５００Ｖであると、該グリッドと対応する陰極との間の電場は負電場であり、陰極から放出する電子は陰極の表面に制限され、次の時刻にグリッド電圧は＋２０００Ｖに変わる時、該グリッドと対応する陰極との間の電場は正電場に変わり、陰極から放出する電子はグリッドへ運動して、かつグリッドメッシュを貫通し、グリッドと陽極との間の加速電場に放出され、加速されて、かつ最終的に陽極に衝撃し、対応するターゲット位置にＸ線を発生する。
【００４０】
また、図７（Ｃ）に示すように、グリッドは各グリッドリード線が並列接続され、同一電位にあり、フィラメント電源で各電子放出ユニットを制御する作動状態であってもよい。例えば、すべてのグリッドが−５００Ｖにあり、各陰極フィラメントが独立して引き出され、各陰極フィラメントの２つの端点の間の電圧差が一定であり、各陰極の全体電圧は０Ｖと−２５００Ｖとの２つの状態の間に切り替わる。ある時刻に、陰極が０Ｖ電位にあり、グリッドと陰極との間が負電場であり、陰極から放出する電子は陰極の表面に制限され、次の時刻に、陰極の電圧が−２５００Ｖに変わり、グリッドと対応する陰極との間の電場は正電場に変わり、陰極から放出する電子はグリッドへ運動して、かつグリッドメッシュを貫通して、グリッドと陽極との間の加速電場に放出され、加速されて、かつ最終的にターゲットに衝撃し、対応するターゲット位置にＸ線を発生する。
【００４１】
特に、本発明の二次元分散型Ｘ線装置において、各電子放出ユニットのフィラメントリード線はそれぞれ独立してフィラメント電源の各出力端に接続してもよく、直列接続されてから、全体がフィラメント電源の１つの出力端に接続してもよい。図８には電子放出ユニットのフィラメントリード線がフィラメント電源に直列接続する模式図を示す。電子放出ユニットのフィラメントリード線が直列接続されるシステムにおいて、通常、陰極は同じ電位にあり、各グリッドリード線は独立して引き出される必要があり、グリッド制御装置によって電子放出ユニットの作動状態を制御する。
【００４２】
特に、異なる使用需要を満たすために、本発明の二次元分散型Ｘ線装置において、電子放出ユニットが直線形に配列されてもよく、円弧型に配列されてもよい。図９には円弧型二次元分散型Ｘ線装置の電子放出ユニットと陽極の配置効果図を示した。複数の電子放出ユニット１は一つの平面において円周の内外周に沿って配置され、配置された弧度（ラジアン）の大きさが円周の全部又は一部の弧の長さでもよく、要求に応じて柔軟に配置することができる。陽極２は電子放出ユニット１の上方に配置され、陽極２が位置する平面と電子放出ユニット１の配置平面とが互いに平行し、陽極２におけるターゲット２０２が電子放出ユニット１の位置に一つずつ対応し、ターゲット２０２の頂面の傾斜角が一致して円形アレイの円心に向かう。電子ビーム流が電子放出ユニット１の上表面から放射されて、陽極２と電子放出ユニット１との間の高圧電場を受けて加速されて、陽極２におけるターゲット２０２に衝撃して、陽極２で円弧形に配列されるアレイＸ線ターゲットスポットを形成して、有用なＸ線の出射方向がすべて円弧の円心に向かう。円弧型二次元分散型Ｘ線装置の真空ボックスについて、その内部の電子放出ユニット１の配置と陽極２の形状に対応して、環型構造であり、長さが一周又は一部でもよい。円弧型分散型Ｘ線装置からの出射Ｘ線はすべて円弧の円心に向かい、線源が円形配列である必要がある場合に用いられる。
【００４３】
特に、本発明の二次元分散型Ｘ線装置おいて、電子放出ユニットのアレイが二列でもよく、複数列でもよい。
【００４４】
また、特に、本発明の二次元分散型Ｘ線装置において、陽極のターゲットが円錐台構造でもよく、円柱構造でもよく、四角錐台構造でもよく、多角錐台構造でもよく、或いは他の多角形の突起でもよく、或いは他の不規則な突起などの構造でもよい。
【００４５】
また、特に、本発明の二次元分散型Ｘ線装置において、陽極のターゲットの頂面が平面でもよく、斜面でもよく、更に球面でもよく、或いは他の不規則な表面でもよい。
【００４６】
また、特に、本発明の二次元分散型Ｘ線装置において、電子放出ユニットの二次元アレイ配列は、２つの方向にいずれも直線に延在してもよく、１つの方向に直線に延在するが、もう１つの方向に弧線に延在してもよく、１つの方向に直線に延在するが、もう１つの方向に区分的直線に延在してもよく、１つの方向に直線に延在するが、もう１つの方向に区分的弧形に延在するなど、複数種の組合せ形式である。
【００４７】
また、特に、本発明の二次元分散型Ｘ線装置において、電子放出ユニットの二次元アレイ配列は、２つの方向に間隔が均一で一致してもよく、各方向に間隔が均一であるが、２つの方向に間隔が一致しなくてもよく、１つの方向に間隔が均一であるが、もう１つの方向に間隔が非均一であってもよく、２つの方向に間隔が共に非均一であってもよい。
【実施例】
【００４８】
（システム構成）
図１〜図６に示すように、二次元分散型Ｘ線装置は複数の電子放出ユニット１、陽極２、真空ボックス３、高圧電源接続装置４、フィラメント電源接続装置５、グリッド制御装置接続装置６、真空装置８および電源及び制御システム７から構成される。複数の電子放出ユニット１は二次元配列の方式で１つの平面に配置され、且つ、真空ボックス３のボックス壁に取り付けられ、各電子放出ユニット１は互いに独立して、長尺形の陽極２は電子放出ユニット１の上方に位置し、真空ボックス３内の上端に取り付けられ、電子放出ユニット１が位置する平面と互いに平行している。電子放出ユニット１はフィラメント１０１、陰極１０２、グリッド１０３、絶縁支持部材１０４、フィラメントリード線１０５及び接続固定部材１０９を含み、グリッド１０３がグリッドフレーム１０６、グリッドメッシュ１０７及びグリッドリード線１０８から構成される。また、陽極２は陽極板２０１とターゲット２０２から構成される。ターゲット２０２は陽極板２０１に取り付けられ、その位置が電子放出ユニット１の位置にそれぞれ対応するように配置され、すべてのターゲット２０２の頂面の傾斜方向が一致し、かつ有用なＸ線の出射方向である。高圧電源接続装置４は真空ボックス３の陽極２に近い一端に取り付けられ、内部が陽極２と接続し、外部が高圧電源７０２と接続し、フィラメント電源接続装置５は各電子放出ユニット１のフィラメントリード線１０５をフィラメント電源７０４に接続している。フィラメント電源接続装置５は数本の両端にコネクタ付き二芯ケーブルである。グリッド制御装置接続装置６は各電子放出ユニット１のグリッドリード線１０８をグリッド制御装置７０３に接続する。グリッド制御装置接続装置６は数本の両端にコネクタ付き高圧同軸ケーブルである。真空装置８は真空ボックス３の側壁に取り付けられている。電源及び制御システム７は、制御システム７０１、高圧電源７０２、グリッド制御装置７０３、フィラメント電源７０４、真空電源７０５などの複数のモジュールを含み、電力ケーブルと制御ケーブルを介してシステムの複数の電子放出ユニット１のフィラメント１０１、グリッド１０３、陽極２、及び真空装置８などの部材に接続している。
【００４９】
（作動原理）
本発明の二次元分散型Ｘ線装置において、電源及び制御システム７はフィラメント電源７０４、グリッド制御装置７０３および高圧電源７０２を制御する。フィラメント電源７０４の作用で、フィラメント１０１は陰極１０２を１０００〜２０００℃に加熱して、陰極１０２は表面に大量の電子を発生して、グリッド制御装置７０３は各グリッド１０３を負電圧、例えば−５００Ｖにして、各電子放出ユニット１のグリッド１０３と陰極１０２との間に負電場を形成して、電子が陰極１０２の表面に制限されて、高圧電源７０２は陽極２を非常に高い正高圧、例えば＋１８０ｋＶにして、電子放出ユニット１と陽極２との間に正の加速電場を形成する。Ｘ線を発生する必要がある場合、電源及び制御システム７は指令又は所定のプログラムに従って、グリッド制御装置７０３のある経路の出力を負電圧から正電圧に切り替えて、且つ、シーケンスに従って各経路の出力信号を変えて、例えば、時刻１に、グリッド制御装置７０３の出力チャンネルｃｈａｎｎｅｌ１ａが−５００Ｖから＋２０００Ｖに変わり、対応する電子放出ユニット１１ａ内で、グリッド１０３と陰極１０２との間の電場が正電場に変わり、電子が陰極１０２の表面からグリッド１０３に向って運動して、グリッドメッシュ１０７を通して電子放出ユニット１１ａと陽極２との間の正方向電場に入って、加速されて、高エネルギーになって、最終的にターゲット２１ａに衝撃して、ターゲット２１ａの位置でＸ線を発生して放射する。時刻２に、グリッド制御装置７０３の出力チャンネルｃｈａｎｎｅｌ１ｂが−５００Ｖから＋２０００Ｖに変わり、対応する電子放出ユニット１１ｂが電子を放射して、ターゲットの２１ｂに衝撃して、そしてターゲット２１ｂの位置でＸ線を発生して放射する。時刻３に、グリッド制御装置７０３の出力チャンネルｃｈａｎｎｅｌ２ａが−５００Ｖから＋２０００Ｖに変わり、対応する電子放出ユニット１２ａが電子を放射して、ターゲットの２２ａに衝撃して、そしてターゲット２２ａの位置でＸ線を発生して放射する。時刻４に、グリッドの制御装置７０３の出力チャンネルｃｈａｎｎｅｌ２ｂが−５００Ｖから＋２０００Ｖに変わり、対応する電子放出ユニット１２ｂが電子を放射して、ターゲット２２ｂに衝撃して、そしてターゲット２２ｂの位置でＸ線を発生して放射する。このように類推して、その後ターゲット２３ａでＸ線を発生して、そしてターゲット２３ｂでＸ線を発生して……、循環して繰り返す。そのため、電源及び制御システム７はグリッド制御装置７０３を利用して各電子放出ユニット１を所定のシーケンスに従って交替で作動させて、電子ビームを放射して、且つ、異なるターゲットの位置において交替でＸ線を発生して、分散型Ｘ線源になる。
【００５０】
ターゲット２０２が電子ビーム流の衝撃を受けた時に放出した気体は真空装置８にリアルタイムで引き出されて、真空ボックス３の内部で高真空を維持して、長時間の安定な運行に有利である。電源及び制御システム７は、各電源を制御して所定のプログラムに従って各部材を駆動して作動を協調すると共に、通信インターフェイスとマンマシンインタフェースを介して外部の命令を受信して、システムの重要なパラメーターを修正・設定して、プログラムを更新して自動制御調整を行うことができる。
【００５１】
また、本発明の二次元アレイ分散型Ｘ線の光源をＣＴデバイスに応用することにより、システムの安定性と信頼度がよく、検査効率が高いＣＴデバイスを得ることができる。
【００５２】
（有益な効果）
本発明は、主に二次元アレイ分散型Ｘ線装置を提供し、一つの光源デバイスにおいて、ある順番に従って周期的に焦点位置を変えるＸ線を発生する。本発明における電子放出ユニットは熱陰極を利用するので、放射電流が大きく、寿命が長いという利点を有する。グリッド制御又は陰極制御によって各電子放出ユニットの作動状態を制御して、便利で柔軟である。大きい陽極板とターゲットの設計を利用して、陽極の過熱問題を緩和して、ターゲットスポット集束効果を形成して、且つコストが低減された。電子放出ユニットと対応ターゲットが二次元アレイ配列を採用するので、Ｘ線がアレイ平面に平行して引き出されて、Ｘ線の出射方向から見ると、ターゲットスポットの分布間隔を縮小して、ターゲットスポットの密度を向上させた。電子放出ユニットは平面二次元で配列されてもよく、弧面二次元で配列されてもよく、全体が直線型分散型Ｘ線装置又は環型分散型Ｘ線装置になり、応用が柔軟である。
【００５３】
また、本発明の二次元アレイ分散型Ｘ線光源をＣＴデバイスに応用すると、光源を移動する必要がなく、複数のビューを生成することができるので、スリップリング運動を省略することができ、構造を簡略化させ、システムの安定性、信頼度を向上させ、検査効率を向上させることに有利である。
【００５４】
上記のように、本願発明を説明したが、これに限られなく、本発明の主旨範囲内で各種の変更をすることができると理解するべきである。
【符号の説明】
【００５５】
１０１：フィラメント、  １０２：陰極、  １０３：グリッド、
１０４：絶縁支持部材、  １０５：フィラメントリード線、
１０６：グリッドフレーム、  １０７：グリッドメッシュ、
１０８：グリッドリード線、  １０９：接続固定部材、  ２０１：陽極板、
２０２：ターゲット、  Ｅ：電子ビーム流、  Ｘ：Ｘ線、  １：電子放出ユニット、
２：陽極、  ３：真空ボックス、  ４：高圧電源接続装置、
５：フィラメント電源接続装置、  ６：グリッド制御装置接続装置、
７：電源及び制御システム、  ８：真空装置、  ９：平板グリッド、
９０１：絶縁骨組み板、  ９０２：グリッド板、  ９０３：グリッドメッシュ、
９０４：グリッドリード線、  １０：陰極アレイ、  １００１：フィラメント、
１００２：陰極、  １００４：絶縁支持部材、  １００５：フィラメントリード線、
１００６：フィラメントリード線移行端子、  １００７：グリッドリード線移行端子。
【図１】
0006259524.tif 000002
【図２】
0006259524.tif 000003
【図３】
0006259524.tif 000004
【図４】
0006259524.tif 000005
【図５】
0006259524.tif 000006
【図６】
0006259524.tif 000007
【図７】
0006259524.tif 000008
【図８】
0006259524.tif 000009
【図９】
0006259524.tif 000010